【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
画像形成装置により、用紙の表裏にそれぞれ印が形成され、
前記印を読み取る第１スキャナーと、
前記第１スキャナーの下流側に設けられ、前記印を読み取る第２スキャナーと、
を備えた画像読取装置であって、
前記第１スキャナー及び前記第２スキャナーの少なくとも一方により読み取られた前記印の印字位置に基づき、前記印の表裏位置を調整する位置調整部と、
前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、
を備える、
画像読取装置。
【請求項２】
前記第１スキャナーにより読み取られた前記印の印字位置と、前記第２スキャナーにより読み取られた前記印の印字位置とに基づき、前記第１スキャナーと前記第２スキャナーとの機差を調整する機差調整部
をさらに備え、
前記位置調整部は、
前記機差調整部により前記機差が調整された場合、前記監視部による前記印の表裏位置ずれの監視の基準となる前記印の調整基準位置を決定する、
請求項１に記載の画像読取装置。
【請求項３】
前記機差調整部は、
前記用紙の同一面に形成された前記印に基づき、前記機差を調整する、
請求項２に記載の画像読取装置。
【請求項４】
前記監視部は、
前記用紙に形成された前記印の表裏位置ずれを監視する際、
前記位置調整部により決定された前記印の調整基準位置のうちの前記用紙の第１面に形成された前記印の第１調整基準位置と、前記第１スキャナーにより読み取られた前記用紙の第１面に形成された前記印の印字位置との第１調整基準ずれ量を監視すると共に、
前記位置調整部により決定された前記印の調整基準位置のうちの前記用紙の第２面に形成された前記印の第２調整基準位置と、前記第２スキャナーにより読み取られた前記用紙の第２面に形成された前記印の印字位置との第２調整基準ずれ量を監視し、
前記位置調整部は、
前記監視部により監視される前記第１調整基準ずれ量と、前記監視部により監視される前記第２調整基準ずれ量とに基づき、前記印の表裏位置を調整する、
請求項３に記載の画像読取装置。
【請求項５】
前記機差が調整される際、前記用紙としてマスター原稿が使用され、
前記マスター原稿の第１面に形成された前記印の印字位置及び前記マスター原稿の第２面に形成された前記印の印字位置のそれぞれは、前記用紙の表裏貫通方向において同一の位置に形成されるものであって、
前記機差調整部は、
前記第１スキャナーにより読み取られた前記マスター原稿の第１面に形成された前記印の印字位置と、前記第２スキャナーにより読み取られた前記マスター原稿の第２面に形成された前記印の印字位置とに基づき、前記機差を調整し、
前記位置調整部は、
前記機差調整部により前記マスター原稿を用いて前記機差が調整された場合、前記印の調整基準位置として、前記マスター原稿に形成された前記印の印字位置を前記印の設計基準位置に設定する、
請求項２に記載の画像読取装置。
【請求項６】
前記監視部は、
前記用紙に形成された前記印の表裏位置ずれを監視する際、
前記第１スキャナーにより読み取られた前記用紙の第１面に形成された前記印の印字位置と、前記位置調整部により設定された前記印の設計基準位置のうち前記マスター原稿の第１面に形成された前記印の第１設計基準位置との第１設計基準ずれ量を監視すると共に、
前記第２スキャナーにより読み取られた前記用紙の第２面に形成された前記印の印字位置と、前記位置調整部により設定された前記印の設計基準位置のうち前記マスター原稿の第２面に形成された前記印の第２設計基準位置との第２設計基準ずれ量を監視し、
前記位置調整部は、
前記監視部により監視される前記第１設計基準ずれ量と、前記監視部により監視される前記第２設計基準ずれ量とに基づき、前記印の表裏位置を調整する、
請求項５に記載の画像読取装置。
【請求項７】
前記位置調整部は、
前記第１スキャナーにより読み取られた前記用紙の第１面に形成された前記印の印字位置と、前記第１スキャナーにより読み取られた前記用紙の第２面に形成された前記印の印字位置とに基づき、前記印の表裏位置を調整した場合、前記監視部による前記印の表裏位置ずれの監視の基準となる前記印の調整基準位置を決定する、
請求項１に記載の画像読取装置。
【請求項８】
前記第２スキャナーは、
前記監視部により前記印の表裏位置ずれが監視される際、前記用紙に形成された前記印を読み取り、
前記監視部は、
前記用紙に形成された前記印の表裏位置ずれを監視する際、
前記位置調整部により決定された前記印の調整基準位置と、前記第２スキャナーにより読み取られた前記印の印字位置との調整基準ずれ量を監視し、
前記位置調整部は、
前記監視部により監視される前記調整基準ずれ量に基づき、前記印の表裏位置を調整する、
請求項７に記載の画像読取装置。
【請求項９】
用紙の表裏にそれぞれ印を形成する画像形成部と、
前記印を読み取る第１スキャナーと、
前記第１スキャナーの下流側に設けられ、前記印を読み取る第２スキャナーと、
を備えた画像形成システムであって、
前記第１スキャナー及び前記第２スキャナーの少なくとも一方により読み取られた前記印の印字位置に基づき、前記印の表裏位置を調整する位置調整部と、
前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、
を備える、
画像形成システム。
【請求項１０】
前記第１スキャナーにより読み取られた前記印の印字位置と、前記第２スキャナーにより読み取られた前記印の印字位置とに基づき、前記第１スキャナーと前記第２スキャナーとの機差を調整する機差調整部
をさらに備え、
前記位置調整部は、
前記機差調整部により前記機差が調整された場合、前記監視部による前記印の表裏位置ずれの監視の基準となる前記印の調整基準位置を決定する、
請求項９に記載の画像形成システム。
【請求項１１】
前記機差調整部は、
前記用紙の同一面に形成された前記印に基づき、前記機差を調整する、
請求項１０に記載の画像形成システム。
【請求項１２】
前記監視部は、
前記用紙に形成された前記印の表裏位置ずれを監視する際、
前記位置調整部により決定された前記印の調整基準位置のうちの前記用紙の第１面に形成された前記印の第１調整基準位置と、前記第１スキャナーにより読み取られた前記用紙の第１面に形成された前記印の印字位置との第１調整基準ずれ量を監視すると共に、
前記位置調整部により決定された前記印の調整基準位置のうちの前記用紙の第２面に形成された前記印の第２調整基準位置と、前記第２スキャナーにより読み取られた前記用紙の第２面に形成された前記印の印字位置との第２調整基準ずれ量を監視し、
前記位置調整部は、
前記監視部により監視される前記第１調整基準ずれ量と、前記監視部により監視される前記第２調整基準ずれ量とに基づき、前記印の表裏位置を調整する、
請求項１１に記載の画像形成システム。
【請求項１３】
前記機差が調整される際、前記用紙としてマスター原稿が使用され、
前記マスター原稿の第１面に形成された前記印の印字位置及び前記マスター原稿の第２面に形成された前記印の印字位置のそれぞれは、前記用紙の表裏貫通方向において同一の位置に形成されるものであって、
前記機差調整部は、
前記第１スキャナーにより読み取られた前記マスター原稿の第１面に形成された前記印の印字位置と、前記第２スキャナーにより読み取られた前記マスター原稿の第２面に形成された前記印の印字位置とに基づき、前記機差を調整し、
前記位置調整部は、
前記機差調整部により前記マスター原稿を用いて前記機差が調整された場合、前記印の調整基準位置として、前記マスター原稿に形成された前記印の印字位置を前記印の設計基準位置に設定する、
請求項１０に記載の画像形成システム。
【請求項１４】
前記監視部は、
前記用紙に形成された前記印の表裏位置ずれを監視する際、
前記第１スキャナーにより読み取られた前記用紙の第１面に形成された前記印の印字位置と、前記位置調整部により設定された前記印の設計基準位置のうち前記マスター原稿の第１面に形成された前記印の第１設計基準位置との第１設計基準ずれ量を監視すると共に、
前記第２スキャナーにより読み取られた前記用紙の第２面に形成された前記印の印字位置と、前記位置調整部により設定された前記印の設計基準位置のうち前記マスター原稿の第２面に形成された前記印の第２設計基準位置との第２設計基準ずれ量を監視し、
前記位置調整部は、
前記監視部により監視される前記第１設計基準ずれ量と、前記監視部により監視される前記第２設計基準ずれ量とに基づき、前記印の表裏位置を調整する、
請求項１３に記載の画像形成システム。
【請求項１５】
前記位置調整部は、
前記第１スキャナーにより読み取られた前記用紙の第１面に形成された前記印の印字位置と、前記第１スキャナーにより読み取られた前記用紙の第２面に形成された前記印の印字位置とに基づき、前記印の表裏位置を調整した場合、前記監視部による前記印の表裏位置ずれの監視の基準となる前記印の調整基準位置を決定する、
請求項９に記載の画像形成システム。
【請求項１６】
前記第２スキャナーは、
前記監視部により前記印の表裏位置ずれが監視される際、前記用紙に形成された前記印を読み取り、
前記監視部は、
前記用紙に形成された前記印の表裏位置ずれを監視する際、
前記位置調整部により決定された前記印の調整基準位置と、前記第２スキャナーにより読み取られた前記印の印字位置との調整基準ずれ量を監視し、
前記位置調整部は、
前記監視部により監視される前記調整基準ずれ量に基づき、前記印の表裏位置を調整する、
請求項１５に記載の画像形成システム。
【請求項１７】
画像形成装置により、用紙の表裏にそれぞれ印が形成され、
前記印を読み取る第１スキャナーと、
前記第１スキャナーの下流側に設けられ、前記印を読み取る第２スキャナーと、
を備えた画像読取装置を制御するコンピュータを、
前記第１スキャナー及び前記第２スキャナーの少なくとも一方により読み取られた前記印の印字位置に基づき、前記印の表裏位置を調整する位置調整部と、
前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、
として機能させるためのプログラム。
【手続補正２】
【補正対象書類名】明細書
【補正対象項目名】００１０
【補正方法】変更
【補正の内容】
【００１０】
上記目的を達成するため、本発明に係る画像読取装置は、画像形成装置により、用紙の表裏にそれぞれ印が形成され、前記印を読み取る第１スキャナーと、前記第１スキャナーの下流側に設けられ、前記印を読み取る第２スキャナーと、を備えた画像読取装置であって、前記第１スキャナー及び前記第２スキャナーの少なくとも一方により読み取られた前記印の印字位置に基づき、前記印の表裏位置を調整する位置調整部と、前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、を備える、ものである。
【手続補正３】
【補正対象書類名】明細書
【補正対象項目名】００２６
【補正方法】変更
【補正の内容】
【００２６】
また、上記目的を達成するため、本発明に係る画像形成システムは、用紙の表裏にそれぞれ印を形成する画像形成部と、前記印を読み取る第１スキャナーと、前記第１スキャナーの下流側に設けられ、前記印を読み取る第２スキャナーと、を備えた画像形成システムであって、前記第１スキャナー及び前記第２スキャナーの少なくとも一方により読み取られた前記印の印字位置に基づき、前記印の表裏位置を調整する位置調整部と、前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、を備える。
また、本発明に係る画像形成システムにおいて、前記第１スキャナーにより読み取られた前記印の印字位置と、前記第２スキャナーにより読み取られた前記印の印字位置とに基づき、前記第１スキャナーと前記第２スキャナーとの機差を調整する機差調整部をさらに備え、前記位置調整部は、前記機差調整部により前記機差が調整された場合、前記監視部による前記印の表裏位置ずれの監視の基準となる前記印の調整基準位置を決定する、ことが好ましい。
また、本発明に係る画像形成システムにおいて、前記機差調整部は、前記用紙の同一面に形成された前記印に基づき、前記機差を調整する、ことが好ましい。
また、本発明に係る画像形成システムにおいて、前記監視部は、前記用紙に形成された前記印の表裏位置ずれを監視する際、前記位置調整部により決定された前記印の調整基準位置のうちの前記用紙の第１面に形成された前記印の第１調整基準位置と、前記第１スキャナーにより読み取られた前記用紙の第１面に形成された前記印の印字位置との第１調整基準ずれ量を監視すると共に、前記位置調整部により決定された前記印の調整基準位置のうちの前記用紙の第２面に形成された前記印の第２調整基準位置と、前記第２スキャナーにより読み取られた前記用紙の第２面に形成された前記印の印字位置との第２調整基準ずれ量を監視し、前記位置調整部は、前記監視部により監視される前記第１調整基準ずれ量と、前記監視部により監視される前記第２調整基準ずれ量とに基づき、前記印の表裏位置を調整する、ことが好ましい。
また、本発明に係る画像形成システムにおいて、前記機差が調整される際、前記用紙としてマスター原稿が使用され、前記マスター原稿の第１面に形成された前記印の印字位置及び前記マスター原稿の第２面に形成された前記印の印字位置のそれぞれは、前記用紙の表裏貫通方向において同一の位置に形成されるものであって、前記機差調整部は、前記第１スキャナーにより読み取られた前記マスター原稿の第１面に形成された前記印の印字位置と、前記第２スキャナーにより読み取られた前記マスター原稿の第２面に形成された前記印の印字位置とに基づき、前記機差を調整し、前記位置調整部は、前記機差調整部により前記マスター原稿を用いて前記機差が調整された場合、前記印の調整基準位置として、前記マスター原稿に形成された前記印の印字位置を前記印の設計基準位置に設定する、ことが好ましい。
また、本発明に係る画像形成システムにおいて、前記監視部は、前記用紙に形成された前記印の表裏位置ずれを監視する際、前記第１スキャナーにより読み取られた前記用紙の第１面に形成された前記印の印字位置と、前記位置調整部により設定された前記印の設計基準位置のうち前記マスター原稿の第１面に形成された前記印の第１設計基準位置との第１設計基準ずれ量を監視すると共に、前記第２スキャナーにより読み取られた前記用紙の第２面に形成された前記印の印字位置と、前記位置調整部により設定された前記印の設計基準位置のうち前記マスター原稿の第２面に形成された前記印の第２設計基準位置との第２設計基準ずれ量を監視し、前記位置調整部は、前記監視部により監視される前記第１設計基準ずれ量と、前記監視部により監視される前記第２設計基準ずれ量とに基づき、前記印の表裏位置を調整する、ことが好ましい。
また、本発明に係る画像形成システムにおいて、前記位置調整部は、前記第１スキャナーにより読み取られた前記用紙の第１面に形成された前記印の印字位置と、前記第１スキャナーにより読み取られた前記用紙の第２面に形成された前記印の印字位置とに基づき、前記印の表裏位置を調整した場合、前記監視部による前記印の表裏位置ずれの監視の基準となる前記印の調整基準位置を決定する、ことが好ましい。
また、本発明に係る画像形成システムにおいて、前記第２スキャナーは、前記監視部により前記印の表裏位置ずれが監視される際、前記用紙に形成された前記印を読み取り、前記監視部は、前記用紙に形成された前記印の表裏位置ずれを監視する際、前記位置調整部により決定された前記印の調整基準位置と、前記第２スキャナーにより読み取られた前記印の印字位置との調整基準ずれ量を監視し、前記位置調整部は、前記監視部により監視される前記調整基準ずれ量に基づき、前記印の表裏位置を調整する、ことが好ましい。
【手続補正４】
【補正対象書類名】明細書
【補正対象項目名】００２９
【補正方法】変更
【補正の内容】
【００２９】
また、上記目的を達成するため、本発明に係るプログラムは、画像形成装置により、用紙の表裏にそれぞれ印が形成され、前記印を読み取る第１スキャナーと、前記第１スキャナーの下流側に設けられ、前記印を読み取る第２スキャナーと、を備えた画像読取装置を制御するコンピュータを、前記第１スキャナー及び前記第２スキャナーの少なくとも一方により読み取られた前記印の印字位置に基づき、前記印の表裏位置を調整する位置調整部と、前記位置調整部により調整された前記印の表裏位置を基準として、基準の前記印の表裏位置と、前記第１スキャナー及び前記第２スキャナーの少なくとも一方により読み取られた前記印の表裏位置とのずれを監視する監視部と、として機能させるためのものである。